(57)【要約】  本開示の撮像レンズは、物体側から順に、正の屈折力を有する第１レンズと、正の屈折力を有する第２レンズと、負の屈折力を有する第３レンズと、正の屈折力を有する第４レンズと、負の屈折力を有する第５レンズと、光軸近傍において正または負の屈折力を有し、像側の面において周辺部に１つ以上の変曲点を持つ第６レンズとからなる。
2014162779.tif 000002
【特許請求の範囲】
【請求項１】
物体側から順に、
正の屈折力を有する第１レンズと、
正の屈折力を有する第２レンズと、
負の屈折力を有する第３レンズと、
正の屈折力を有する第４レンズと、
負の屈折力を有する第５レンズと、
光軸近傍において正または負の屈折力を有し、像側の面において周辺部に１つ以上の変曲点を持つ第６レンズと
から構成される撮像レンズ。
【請求項２】
以下の条件式を満足する
請求項１に記載の撮像レンズ。
νｄ３＜３０  ……（１）
νｄ５＞２０  ……（２）
ただし、
νｄ３：前記第３レンズのｄ線におけるアッベ数
νｄ５：前記第５レンズのｄ線におけるアッベ数
とする。
【請求項３】
以下の条件式を満足する
請求項１に記載の撮像レンズ。
νｄ１＞５０  ……（３）
νｄ２＞５０  ……（４）
νｄ４＞５０  ……（５）
νｄ６＞５０  ……（６）
ただし、
νｄ１：前記第１レンズのｄ線におけるアッベ数
νｄ２：前記第２レンズのｄ線におけるアッベ数
νｄ４：前記第４レンズのｄ線におけるアッベ数
νｄ６：前記第６レンズのｄ線におけるアッベ数
とする。
【請求項４】
以下の条件式を満足する
請求項１に記載の撮像レンズ。
０＜ｆ／ｆ２＜１．１  ……（７）
ただし、
ｆ：全系の焦点距離
ｆ２：前記第２レンズの焦点距離
とする。
【請求項５】
以下の条件式を満足する
請求項１に記載の撮像レンズ。
−１．３５＜ｆ／ｆ３＜−０．６６  ……（８）
ただし、
ｆ３：前記第３レンズの焦点距離
とする。
【請求項６】
以下の条件式を満足する
請求項１に記載の撮像レンズ。
−０．７＜ｆ／ｆ５＜０  ……（９）
ただし、
ｆ５：前記第５レンズの焦点距離
とする。
【請求項７】
以下の条件式を満足する
請求項１に記載の撮像レンズ。
−１．２＜ｆ／ｆ６＜０．２  ……（１０）
ただし、
ｆ６：前記第６レンズの焦点距離
とする。
【請求項８】
以下の条件式を満足する
請求項１に記載の撮像レンズ。
−１２＜ｆ２／ｆ３＜−０．１  ……（１１）
【請求項９】
以下の条件式を満足する
請求項１に記載の撮像レンズ。
０＜ｆ２／ｆ１＜１８  ……（１２）
ただし、
ｆ１：前記第１レンズの焦点距離
とする。
【請求項１０】
以下の条件式を満足する
請求項１に記載の撮像レンズ。
−１＜ｆ５／ｆ６＜１９  ……（１３）
【請求項１１】
前記第２レンズの像側の面よりも物体側に開口絞りが配設されている
請求項１に記載の撮像レンズ。
【請求項１２】
前記第１ないし第６レンズのすべてが樹脂製のレンズである
請求項１に記載の撮像レンズ。
【請求項１３】
撮像レンズと、前記撮像レンズによって形成された光学像に応じた撮像信号を出力する撮像素子とを含み、
前記撮像レンズは、
物体側から順に、
正の屈折力を有する第１レンズと、
正の屈折力を有する第２レンズと、
負の屈折力を有する第３レンズと、
正の屈折力を有する第４レンズと、
負の屈折力を有する第５レンズと、
光軸近傍において正または負の屈折力を有し、像側の面において周辺部に１つ以上の変曲点を持つ第６レンズと
から構成される撮像装置。
【発明の詳細な説明】
【技術分野】
【０００１】
本開示は、ＣＣＤ（Charge Coupled Devices）やＣＭＯＳ（Complementary Metal Oxide Semiconductor）などの撮像素子を使用した小型の撮像装置、例えばデジタルスチルカメラ、およびカメラ付き携帯電話などに好適で、明るく大口径の撮像レンズ、およびそのような撮像レンズを用いた撮像装置に関する。
【背景技術】
【０００２】
ＣＣＤやＣＭＯＳ等の固体撮像素子を用いたカメラ付携帯電話やデジタルスチルカメラが知られている。このような撮像装置においては、より一層の小型化が要求されており、搭載される撮影用のレンズにおいてもより小型で全長の短いものが要求されている。【０００３】
また、近年ではカメラ付携帯電話のような小型撮像機器においても小型化と共に撮像素子の高画素化が進んでおり、例えば１０００万画素以上の高画素撮像素子を搭載したモデルが普及している。そのため、搭載される撮像レンズとしてもこうした高画素の固体撮像装置に対応する高いレンズ性能が要求されている。【０００４】
一方、こうした撮像装置では狭セルピッチ化に伴う撮像素子の感度低下やノイズの増加を防止するため、より大口径の明るいレンズが要求されている。こうした小型かつ高性能の撮像レンズとしては、現在５枚構成の撮像レンズが主流であり、たとえば特許文献１や特許文献２に記載されたものが知られている。
【先行技術文献】
【特許文献】
【０００５】
【特許文献１】特開２００７−２６４１８０号公報
【特許文献２】特開２０１０−０４８９９６号公報
【発明の概要】
【０００６】
上記した特許文献１および特許文献２に記載のレンズは、現在の高画素の撮像素子に対応した５枚構成の撮像レンズであり、光学全長を抑制しながら諸収差をバランスよく補正することで、小型でかつ高い光学性能を確保している。しかし、これらの撮像レンズはＦｎｏ２．２程度で最適化されたものであり、本構成でＦｎｏ１．６程度の大口径化を図ると軸上収差の球面収差や軸外収差のコマ収差、像面湾曲の補正が不足となり、必要な光学性能を確保することが困難となる。また、さらなる光学性能の向上を図る上では軸上色収差をより抑制することが必要となるが、本構成では光学全長を抑制しつつ軸上色収差を補正することが困難であり、大口径化に伴い必要となる高い解像性能を確保することは難しい。そこで、例えばＦｎｏ１．６〜２．２程度の明るく大口径の撮像レンズの開発が望まれている。
【０００７】
従って、小型で、高画素の撮像素子に対応した良好な光学性能を有する撮像レンズおよび撮像装置を提供することが望ましい。
【０００８】
本開示の一実施の形態に係る撮像レンズは、物体側から順に、正の屈折力を有する第１レンズと、正の屈折力を有する第２レンズと、負の屈折力を有する第３レンズと、正の屈折力を有する第４レンズと、負の屈折力を有する第５レンズと、光軸近傍において正または負の屈折力を有し、像側の面において周辺部に１つ以上の変曲点を持つ第６レンズとから構成される。
【０００９】
本開示の一実施の形態に係る撮像装置は、撮像レンズと、撮像レンズによって形成された光学像に応じた撮像信号を出力する撮像素子とを備え、撮像レンズを、上記本開示の一実施の形態に係る撮像レンズによって構成したものである。
【００１０】
本開示の一実施の形態に係る撮像レンズまたは撮像装置では、全体として６枚のレンズ構成で、各レンズの構成の最適化が図られている。
【００１１】
本開示の一実施の形態に係る撮像レンズまたは撮像装置によれば、全体として６枚のレンズ構成とし、各レンズの構成の最適化を図るようにしたので、小型で、高画素の撮像素子に対応した良好な光学性能を実現できる。
【図面の簡単な説明】
【００１２】
【図１】本開示の一実施の形態に係る撮像レンズの第１の構成例を示すものであり、数値実施例１に対応するレンズ断面図である。
【図２】撮像レンズの第２の構成例を示すものであり、数値実施例２に対応するレンズ断面図である。
【図３】撮像レンズの第３の構成例を示すものであり、数値実施例３に対応するレンズ断面図である。
【図４】撮像レンズの第４の構成例を示すものであり、数値実施例４に対応するレンズ断面図である。
【図５】撮像レンズの第５の構成例を示すものであり、数値実施例５に対応するレンズ断面図である。
【図６】撮像レンズの第６の構成例を示すものであり、数値実施例６に対応するレンズ断面図である。
【図７】撮像レンズの第７の構成例を示すものであり、数値実施例７に対応するレンズ断面図である。
【図８】撮像レンズの第８の構成例を示すものであり、数値実施例８に対応するレンズ断面図である。
【図９】撮像レンズの第１の諸収差を示すものであり、数値実施例１に対応するレンズの特性曲線図である。
【図１０】撮像レンズの第２の諸収差を示すものであり、数値実施例２に対応するレンズの特性曲線図である。
【図１１】撮像レンズの第３の諸収差を示すものであり、数値実施例３に対応するレンズの特性曲線図である。
【図１２】撮像レンズの第４の諸収差を示すものであり、数値実施例４に対応するレンズの特性曲線図である。
【図１３】撮像レンズの第５の諸収差を示すものであり、数値実施例５に対応するレンズの特性曲線図である。
【図１４】撮像レンズの第６の諸収差を示すものであり、数値実施例６に対応するレンズの特性曲線図である。
【図１５】撮像レンズの第７の諸収差を示すものであり、数値実施例７に対応するレンズの特性曲線図である。
【図１６】撮像レンズの第８の諸収差を示すものであり、数値実施例８に対応するレンズの特性曲線図である。
【図１７】撮像装置の一構成例を示す正面図である。
【図１８】撮像装置の一構成例を示す背面図である。
【発明を実施するための形態】
【００１３】
以下、本開示の実施の形態について図面を参照して詳細に説明する。なお、説明は以下の順序で行う。
１．レンズの基本構成
２．作用・効果
３．撮像装置への適用例
４．レンズの数値実施例
５．その他の実施の形態
【００１４】
［１．レンズの基本構成］
図１は、本開示の一実施の形態に係る撮像レンズの第１の構成例を示している。この第１の構成例は、後述の数値実施例１のレンズ構成に対応している。同様にして、後述の数値実施例２ないし８のレンズ構成に対応する第２ないし第８の構成例の断面構成を、図２〜図８に示す。図１〜図８において、符号Ｓｉｍｇは像面（または撮像素子）、Ｚ１は光軸を示す。
【００１５】
本実施の形態に係る撮像レンズは、光軸Ｚ１に沿って物体側より順に、第１レンズＬ１と、第２レンズＬ２と、第３レンズＬ３と、第４レンズＬ４と、第５レンズＬ５と、第６レンズＬ６とが配置された、実質的に６つのレンズで構成されている。
【００１６】
第１レンズＬ１は、正の屈折力を有している。第２レンズＬ２は、正の屈折力を有している。第３レンズＬ３は、負の屈折力を有している。第４レンズＬ４は、正の屈折力を有している。第５レンズＬ５は、負の屈折力を有している。
【００１７】
第６レンズＬ６は、光軸近傍において正または負の屈折力を有している。第６レンズＬ６は、像側の面において周辺部に１つ以上の変曲点を持ち、像側の面が中心部から周辺部に行くに従い、凹凸形状が途中で変化するような非球面形状となっている。
【００１８】
開口絞りＳｔは、第２レンズＬ２の像側の面よりも物体側に配設されていることが好ましい。第１ないし第６レンズＬ１〜Ｌ６のすべてが樹脂製のレンズであることが好ましい。
【００１９】
その他、本実施の形態に係る撮像レンズは、後述する所定の条件式等を満足することが好ましい。
【００２０】
［２．作用・効果］
次に、本実施の形態に係る撮像レンズの作用および効果を説明する。
【００２１】
この撮像レンズでは、全体として６枚のレンズ構成とし、各レンズの構成の最適化を図るようにしたので、小型で、高画素の撮像素子に対応した良好な光学性能を実現できる。特に、物体側から順に、正、正、負、正、負、および負（または正）のパワー配置を採ることで光学全長を抑制しつつ、大口径化する際に問題となる軸上収差の球面収差や軸外収差のコマ収差、および像面湾曲をバランスよく補正することができる。また、第６レンズＬ６の像側の面が周辺部に１つ以上の変曲点を持つ非球面となっていることで、適正な角度で撮像素子に光線を入射させることができ、高画素の撮像素子に対応可能となる。特に、像面湾曲の補正に有効である。
【００２２】
さらに、第１ないし第６レンズＬ１〜Ｌ６のすべてを安価な樹脂製のレンズで構成することで、量産性を確保しつつ温度変動時に問題となる像面湾曲の変動を抑制することができる。
【００２３】
（条件式の説明）
本実施の形態に係る撮像レンズでは、以下の条件式を少なくとも１つ、好ましくは２つ以上の条件式を組み合わせて満足するように各レンズの構成の最適化を図ることで、より良好な性能を得ることができる。特に、高画素の撮像素子に対応した良好な光学性能を有し、小型かつ大口径の撮像レンズを達成できる。
【００２４】
νｄ３＜３０  ……（１）
νｄ５＞２０  ……（２）
ただし、
νｄ３：第３レンズＬ３のｄ線におけるアッベ数
νｄ５：第５レンズＬ５のｄ線におけるアッベ数
とする。
【００２５】
条件式（１），（２）は、第３レンズＬ３、および第５レンズＬ５のｄ線におけるアッベ数を規定するものであり、レンズ系で発生する色収差を良好に補正するための条件である。条件式（１），（２）の指定値を外れると、Ｆｎｏ１．６程度の大口径化に際して必要となる軸上色収差と倍率色収差の補正が困難となる。
【００２６】
νｄ１＞５０  ……（３）
νｄ２＞５０  ……（４）
νｄ４＞５０  ……（５）
νｄ６＞５０  ……（６）
ただし、
νｄ１：第１レンズＬ１のｄ線におけるアッベ数
νｄ２：第２レンズＬ２のｄ線におけるアッベ数
νｄ４：第４レンズＬ４のｄ線におけるアッベ数
νｄ６：第６レンズＬ６のｄ線におけるアッベ数
とする。
【００２７】
条件式（３）〜（６）は、第１レンズＬ１、第２レンズＬ２、第４レンズＬ４、および第６レンズＬ６のｄ線におけるアッベ数を規定するものであり、レンズ系で発生する色収差を良好に補正するための条件である。この条件式の指定値を外れると、軸上色収差と倍率色収差とをバランスよく補正することが困難となる。
【００２８】
０＜ｆ／ｆ２＜１．１  ……（７）
ただし、
ｆ：全系の焦点距離
ｆ２：第２レンズＬ２の焦点距離
とする。
【００２９】
条件式（７）は、第２レンズｌ２の焦点距離とレンズ全系の焦点距離との比を規定するものであり、屈折力のバランスを制限している。条件式（７）を満足することで、良好な光学性能の確保と光学全長の抑制を実現できる。条件式（７）の上限値を外れると軸上色収差の補正が困難となる。一方、この条件式の下限値を外れると高次の球面収差やコマ収差の補正が困難となり、本レンズ系に要求される小型化、大口径化の実現が困難となる。
なお、軸上色収差の補正と球面収差やコマ収差の補正とをよりバランスよく実現するためには、条件式（７）の数値範囲は以下の条件式（７）’の通り、設定することが望ましい。
０＜ｆ／ｆ２＜１．０  ……（７）’
【００３０】
−１．３５＜ｆ／ｆ３＜−０．６６  ……（８）
ただし、
ｆ３：第３レンズＬ３の焦点距離
とする。
【００３１】
条件式（８）は、第３レンズＬ３の適切な焦点距離に関する。条件式（８）の上限を下回ることで、軸上や軸外の色収差を適度に補正できる。一方、下限を上回ることで、第３レンズＬ３のパワーを弱くすることができ、組み立て時の製造誤差感度を低減することができる。
【００３２】
−０．７＜ｆ／ｆ５＜０  ……（９）
ただし、
ｆ５：第５レンズＬ５の焦点距離
とする。
【００３３】
条件式（９）は、第５レンズＬ５の焦点距離とレンズ全系の焦点距離との比を規定するものであり、屈折力のバランスを制限している。条件式（９）を満足することで、良好な光学性能の確保と光学全長の抑制を実現できる。条件式（９）の上限値を外れると光学全長の短縮が困難となる。一方、この条件式の下限値を外れると光学全長の短縮に有利になるが、軸外収差の補正が困難になり、本レンズ系に要求される良好な光学性能の実現が困難となる。
なお、光学全長の短縮と軸外色収差の補正をよりバランスよく実現するためには、条件式（９）の数値範囲は以下の条件式（９）’の通り、設定することが望ましい。
−０．６５＜ｆ／ｆ５＜０  ……（９）’
【００３４】
−１．２＜ｆ／ｆ６＜０．２  ……（１０）
ただし、
ｆ６：第６レンズＬ６の焦点距離
とする。
【００３５】
条件式（１０）は、第６レンズＬ６の焦点距離とレンズ全系の焦点距離との比を規定するものであり、屈折力のバランスを制限している。条件式（１０）を満足することで、良好な光学性能の確保と光学全長の抑制を実現できる。条件式（１０）の上限値を外れると光学全長の短縮には有利になるが、良好な光学性能の確保が困難となる。一方、この条件式の下限値を外れると収差補正上は有利になるが、光学全長が増大し、本レンズ系に要求される小型化の実現が困難となる。
なお、光学全長の短縮と中間像高の性能とをよりバランスよく実現するためには、条件式（１０）の数値範囲は以下の条件式（１０）’の通り、設定することが望ましい。
−１．１＜ｆ／ｆ６＜０．１  ……（１０）’
【００３６】
−１２＜ｆ２／ｆ３＜−０．１  ……（１１）
【００３７】
条件式（１１）は第２レンズＬ２の焦点距離と第３レンズＬ３の焦点距離との比を規定するものであり、屈折力のバランスを制限している。条件式（１１）を満足するように設定することで、良好な光学性能の確保と光学全長の抑制を実現している。条件式（１１）の上限値を外れると収差補正上は有利になるが、組立上の敏感度が高くなり良好な光学性能の確保が困難となる。一方、この条件式の下限値を外れると高次の球面収差やコマ収差の補正が困難となり、本レンズ系に要求される小型化、大口径化の実現が困難となる。
なお、組立上の敏感度と球面収差やコマ収差の補正とをよりバランスよく実現するためには、条件式（１１）の数値範囲は以下の条件式（１１）’の通り、設定することが望ましい。
−１１＜ｆ２／ｆ３＜−１  ……（１１）’
【００３８】
０＜ｆ２／ｆ１＜１８  ……（１２）
ただし、
ｆ１：第１レンズＬ１の焦点距離
とする。
【００３９】
条件式（１２）は第２レンズＬ２の焦点距離と第１レンズＬ１の焦点距離との比を規定するものであり、屈折力のバランスを制限している。条件式（１２）を満足するように設定することで、良好な光学性能の確保と光学全長の抑制が実現できる。条件式（１２）の上限値を外れると高次の球面収差やコマ収差の補正が困難となり、本レンズ系に要求される小型化、大口径化の実現が困難となる。一方、この条件式の下限値を外れると収差補正上は有利になるが、組立上の敏感度が高くなり良好な光学性能の確保が困難となる。
なお、組立上の敏感度と球面収差やコマ収差の補正とをよりバランスよく実現するためには、条件式（１２）の数値範囲は以下の条件式（１２）’の通り、設定することが望ましい。
０．５＜ｆ２／ｆ１＜１６  ……（１２）’
【００４０】
さらに、以下の条件式（１３）を満足することで、良好な光学性能の確保と光学全長の抑制を実現できる。
−１＜ｆ５／ｆ６＜１９  ……（１３）
【００４１】
条件式（１３）は、第５レンズＬ５の焦点距離と第６レンズＬ６の焦点距離との比を規定するものであり、屈折力のバランスを制限している。条件式（１３）の上限値を外れると収差補正上は有利になるが、光学全長が増大し、本レンズ系に要求される小型化の実現が困難となる。一方、この条件式の下限値を外れると光学全長の短縮には有利になるが、軸外収差の補正が困難になり、本レンズ系に要求される良好な光学性能の実現が困難となる。
なお、光学全長の短縮と軸外色収差や軸外コマ収差の補正とをよりバランスよく実現するためには、条件式（１３）の数値範囲は以下の条件式（１３）’の通り、設定することが望ましい。
−０．５＜ｆ５／ｆ６＜１７  ……（１３）’
【００４２】
［３．撮像装置への適用例］
図１７および図１８は、本実施の形態に係る撮像レンズを適用した撮像装置の一構成例を示している。この構成例は、撮像装置を備えた携帯端末機器（例えば携帯情報端末や携帯電話端末）の一例である。この携帯端末機器は、略長方形状の筐体２０１を備えている。筐体２０１の前面側（図１７）には表示部２０２やフロントカメラ部２０３が設けられている。筐体２０１の背面側（図１８）には、メインカメラ部２０４やカメラフラッシュ２０５が設けられている。
【００４３】
表示部２０２は、例えば表面への接触状態を検知することによって各種の操作を可能にするタッチパネルとなっている。これにより、表示部２０２は、各種の情報を表示する機能とユーザによる各種の入力操作を可能にする入力機能とを有している。表示部２０２は、操作状態や、フロントカメラ部２０３またはメインカメラ部２０４で撮影した画像等の各種のデータを表示する。
【００４４】
本実施の形態に係る撮像レンズは、例えば図１７および図１８に示したような携帯端末機器における撮像装置（フロントカメラ部２０３またはメインカメラ部２０４）のカメラモジュール用レンズとして適用可能である。このようなカメラモジュール用レンズとして用いる場合、撮像レンズの像面Ｓｉｍｇ付近に、撮像レンズによって形成された光学像に応じた撮像信号（画像信号）を出力するＣＣＤ（Charge Coupled Devices）やＣＭＯＳ（Complementary Metal Oxide Semiconductor）等の撮像素子が配置される。この場合、図１に示したように、第６レンズＬ６と像面Ｓｉｍｇとの間には、撮像素子保護用のシールガラスＳＧや各種の光学フィルタ等の光学部材が配置されていても良い。
【００４５】
なお、本実施の形態に係る撮像レンズは、上記した携帯端末機器に限らず、その他の電子機器、例えばデジタルスチルカメラやデジタルビデオカメラ用の撮像レンズとしても適用可能である。その他、ＣＣＤやＣＭＯＳなどの固体撮像素子を使用した小型の撮像装置全般、例えば光センサー、携帯用モジュールカメラ、およびＷＥＢカメラなどに適用可能である。
【実施例】
【００４６】
＜４．レンズの数値実施例＞
次に、本実施の形態に係る撮像レンズの具体的な数値実施例について説明する。
なお、以下の各表や説明において示した記号の意味等については、下記に示す通りである。「Ｓｉ」は、物体側から数えてｉ番目の面の番号を示している。なお、面番号Ｓｉにおいて「ＡＳＰ」と記した面は非球面であることを示す。「Ｒｉ」は、ｉ番目の面の近軸の曲率半径の値（ｍｍ）を示す。「ｄｉ」は物体側からｉ番目の面とｉ＋１番目の面との間の光軸上の間隔の値（ｍｍ）を示す。「ｎｉ」はｉ番目の面を有する光学要素の材質のｄ線（波長５８７．６ｎｍ）における屈折率の値を示す。「νｉ」はｉ番目の面を有する光学要素の材質のｄ線におけるアッベ数の値を示す。曲率半径に関し「∞」は当該面が平面であることを示す。「ＳＴＯ」と記した面は絞り面であることを示す。「ＩＭＧ」と記した面は像面であることを示す。ｆは全系の焦点距離、２ωは対角の全画角、ＦＮｏはＦナンバーを示す。【００４７】
各実施例において、非球面の形状は次式で表される。非球面係数のデータにおいて、記号“Ｅ”は、その次に続く数値が１０を底とした“べき指数”であることを示し、その１０を底とした指数関数で表される数値が“Ｅ”の前の数値に乗算されることを示す。例えば、「１．０Ｅ−０５」であれば、「１．０×１０−５」であることを示す。【００４８】
（非球面の式）
Ｚ＝（Ｙ２／Ｒ）／［１＋｛１−（１＋Ｋ）（Ｙ２／Ｒ２）｝１／２］＋ＡＹ３＋ＢＹ４＋ＣＹ５＋ＤＹ６＋ＥＹ７＋ＦＹ８＋ＧＹ９＋ＨＹ１０＋ＩＹ１１＋ＪＹ１２
ただし、
Ｚ：非球面の深さ
Ｙ：光軸からの高さ
Ｒ：近軸曲率半径
Ｋ：円錐定数
とする。
また、Ａは３次、Ｂは４次、Ｃは５次、Ｄは６次、Ｅは７次、Ｆは８次、Ｇは９次、Ｈは１０次、Ｉは１１次、Ｊは１２次の非球面係数とする。【００４９】
（各数値実施例に共通の構成）
以下の各数値実施例に係る撮像レンズはいずれも、上記したレンズの基本構成を満足した構成となっている。また、各数値実施例に係る撮像レンズはいずれも、第１レンズＬ１ないし第６レンズＬ６の各レンズ面が非球面となっている。第６レンズＬ６と像面Ｓｉｍｇとの間にはシールガラスＳＧが配置されている。【００５０】
［数値実施例１］
［表１］、［表２］は、図１に示した第１の構成例に係る撮像レンズに対応する具体的なレンズデータを示している。特に［表１］にはその基本的なレンズデータを示し、［表２］には非球面に関するデータを示す。【００５１】
この第１の構成例では、第１レンズＬ１は光軸近傍において両凸形状となっている。第２レンズＬ２は光軸近傍において像側に凸面を向けた正のメニスカスレンズとなっている。第３レンズＬ３は光軸近傍において像側が凹形状の負レンズとなっている。第４レンズＬ４は光軸近傍において像側が凸形状の正レンズとなっている。第５レンズＬ５は光軸近傍において像側に凹面を向けた負のメニスカスレンズとなっている。第６レンズＬ６は光軸近傍において像側に凹面を向けた負のメニスカスレンズとなっている。開口絞りＳｔは、第１レンズＬ１の物体側の面近傍に設けられている。【００５２】
Ｆナンバー、対角の全画角２ω、および全系の焦点距離ｆの値は以下の通りである。
ＦＮｏ＝１．６
ｆ＝４．１７
２ω＝６８．６°【００５３】
【表１】
2014162779.tif 000003
【００５４】
【表２】
2014162779.tif 000004
【００５５】
［数値実施例２］
［表３］、［表４］は、図２に示した第２の構成例に係る撮像レンズに対応する具体的なレンズデータを示している。特に［表３］にはその基本的なレンズデータを示し、［表４］には非球面に関するデータを示す。【００５６】
この第２の構成例では、第１レンズＬ１は光軸近傍において両凸形状となっている。第２レンズＬ２は光軸近傍において像側に凸面を向けた正のメニスカスレンズとなっている。第３レンズＬ３は光軸近傍において像側が凹形状の負レンズとなっている。第４レンズＬ４は光軸近傍において像側が凸形状の正レンズとなっている。第５レンズＬ５は光軸近傍において像側に凹面を向けた負のメニスカスレンズとなっている。第６レンズＬ６は光軸近傍において像側に凹面を向けた正のメニスカスレンズとなっている。開口絞りＳｔは、第１レンズＬ１の物体側の面近傍に設けられている。【００５７】
Ｆナンバー、対角の全画角２ω、および全系の焦点距離ｆの値は以下の通りである。
ＦＮｏ＝１．６
ｆ＝３．９１
２ω＝７２．０６°【００５８】
【表３】
2014162779.tif 000005
【００５９】
【表４】
2014162779.tif 000006
【００６０】
［数値実施例３］
［表５］、［表６］は、図３に示した第３の構成例に係る撮像レンズに対応する具体的なレンズデータを示している。特に［表５］にはその基本的なレンズデータを示し、［表６］には非球面に関するデータを示す。【００６１】
この第３の構成例では、第１レンズＬ１は光軸近傍において両凸形状となっている。第２レンズＬ２は光軸近傍において像側に凸面を向けた正のメニスカスレンズとなっている。第３レンズＬ３は光軸近傍において像側が凹形状の負レンズとなっている。第４レンズＬ４は光軸近傍において像側が凸形状の正レンズとなっている。第５レンズＬ５は光軸近傍において像側に凹面を向けた負のメニスカスレンズとなっている。第６レンズＬ６は光軸近傍において像側に凹面を向けた負のメニスカスレンズとなっている。開口絞りＳｔは、第１レンズＬ１の物体側の面近傍に設けられている。【００６２】
Ｆナンバー、対角の全画角２ω、および全系の焦点距離ｆの値は以下の通りである。
ＦＮｏ＝１．６
ｆ＝３．９１
２ω＝７２．１８°【００６３】
【表５】
2014162779.tif 000007
【００６４】
【表６】
2014162779.tif 000008
【００６５】
［数値実施例４］
［表７］、［表８］は、図４に示した第４の構成例に係る撮像レンズに対応する具体的なレンズデータを示している。特に［表７］にはその基本的なレンズデータを示し、［表８］には非球面に関するデータを示す。【００６６】
この第４の構成例では、第１レンズＬ１は光軸近傍において両凸形状となっている。第２レンズＬ２は光軸近傍において像側に凸面を向けた正のメニスカスレンズとなっている。第３レンズＬ３は光軸近傍において像側が凹形状の負レンズとなっている。第４レンズＬ４は光軸近傍において像側が凸形状の正レンズとなっている。第５レンズＬ５は光軸近傍において像側に凹面を向けた負のメニスカスレンズとなっている。第６レンズＬ６は光軸近傍において像側に凹面を向けた負のメニスカスレンズとなっている。開口絞りＳｔは、第１レンズＬ１の物体側の面近傍に設けられている。【００６７】
Ｆナンバー、対角の全画角２ω、および全系の焦点距離ｆの値は以下の通りである。
ＦＮｏ＝２．２
ｆ＝４．４４
２ω＝６５．３°【００６８】
【表７】
2014162779.tif 000009
【００６９】
【表８】
2014162779.tif 000010
【００７０】
［数値実施例５］
［表９］、［表１０］は、図５に示した第５の構成例に係る撮像レンズに対応する具体的なレンズデータを示している。特に［表９］にはその基本的なレンズデータを示し、［表１０］には非球面に関するデータを示す。【００７１】
この第５の構成例では、第１レンズＬ１は光軸近傍において両凸形状となっている。第２レンズＬ２は光軸近傍において像側に凸面を向けた正のメニスカスレンズとなっている。第３レンズＬ３は光軸近傍において像側が凹形状の負レンズとなっている。第４レンズＬ４は光軸近傍において像側が凸形状の正レンズとなっている。第５レンズＬ５は光軸近傍において像側に凹面を向けた負のメニスカスレンズとなっている。第６レンズＬ６は光軸近傍において像側に凹面を向けた負のメニスカスレンズとなっている。開口絞りＳｔは、第１レンズＬ１の物体側の面近傍に設けられている。【００７２】
Ｆナンバー、対角の全画角２ω、および全系の焦点距離ｆの値は以下の通りである。
ＦＮｏ＝１．９
ｆ＝４．４
２ω＝６５．７４°【００７３】
【表９】
2014162779.tif 000011
【００７４】
【表１０】
2014162779.tif 000012
【００７５】
［数値実施例６］
［表１１］、［表１２］は、図６に示した第６の構成例に係る撮像レンズに対応する具体的なレンズデータを示している。特に［表１１］にはその基本的なレンズデータを示し、［表１２］には非球面に関するデータを示す。【００７６】
この第６の構成例では、第１レンズＬ１は光軸近傍において両凸形状となっている。第２レンズＬ２は光軸近傍において像側に凸面を向けた正のメニスカスレンズとなっている。第３レンズＬ３は光軸近傍において像側が凹形状の負レンズとなっている。第４レンズＬ４は光軸近傍において像側が凸形状の正レンズとなっている。第５レンズＬ５は光軸近傍において像側に凹面を向けた負のメニスカスレンズとなっている。第６レンズＬ６は光軸近傍において像側に凹面を向けた負のメニスカスレンズとなっている。開口絞りＳｔは、第１レンズＬ１の物体側の面近傍に設けられている。【００７７】
Ｆナンバー、対角の全画角２ω、および全系の焦点距離ｆの値は以下の通りである。
ＦＮｏ＝１．８
ｆ＝４．３９
２ω＝６５．９２°【００７８】
【表１１】
2014162779.tif 000013
【００７９】
【表１２】
2014162779.tif 000014
【００８０】
［数値実施例７］
［表１３］、［表１４］は、図７に示した第７の構成例に係る撮像レンズに対応する具体的なレンズデータを示している。特に［表１３］にはその基本的なレンズデータを示し、［表１４］には非球面に関するデータを示す。【００８１】
この第７の構成例では、第１レンズＬ１は光軸近傍において物体側に凸面を向けた正のメニスカスレンズとなっている。第２レンズＬ２は両凸形状となっている。第３レンズＬ３は光軸近傍において像側が凹形状の負レンズとなっている。第４レンズＬ４は光軸近傍において像側が凸形状の正レンズとなっている。第５レンズＬ５は光軸近傍において像側に凹面を向けた負のメニスカスレンズとなっている。第６レンズＬ６は光軸近傍において像側に凹面を向けた負のメニスカスレンズとなっている。開口絞りＳｔは第１レンズＬ１と第２レンズＬ２との間に配置されている。【００８２】
Ｆナンバー、対角の全画角２ω、および全系の焦点距離ｆの値は以下の通りである。
ＦＮｏ＝１．６
ｆ＝４．４６
２ω＝６５．０４°【００８３】
【表１３】
2014162779.tif 000015
【００８４】
【表１４】
2014162779.tif 000016
【００８５】
［数値実施例８］
［表１５］、［表１６］は、図８に示した第８の構成例に係る撮像レンズに対応する具体的なレンズデータを示している。特に［表１５］にはその基本的なレンズデータを示し、［表１６］には非球面に関するデータを示す。【００８６】
この第８の構成例では、第１レンズＬ１は光軸近傍において両凸形状となっている。第２レンズＬ２は光軸近傍において像側に凸面を向けた正のメニスカスレンズとなっている。第３レンズＬ３は光軸近傍において像側が凹形状の負レンズとなっている。第４レンズＬ４は光軸近傍において像側が凸形状の正レンズとなっている。第５レンズＬ５は光軸近傍において像側に凹面を向けた負のメニスカスレンズとなっている。第６レンズＬ６は光軸近傍において像側に凹面を向けた負のメニスカスレンズとなっている。開口絞りＳｔは、第１レンズＬ１の物体側の面近傍に設けられている。【００８７】
Ｆナンバー、対角の全画角２ω、および全系の焦点距離ｆの値は以下の通りである。
ＦＮｏ＝２．２
ｆ＝４．４３
２ω＝６５．４６°【００８８】
【表１５】
2014162779.tif 000017
【００８９】
【表１６】
2014162779.tif 000018
【００９０】
［各実施例のその他の数値データ］
［表１７］には、上述の各条件式に関する値を、各数値実施例についてまとめたものを示す。［表１７］から分かるように、各条件式について、各数値実施例の値がその数値範囲内となっている。【００９１】
【表１７】
2014162779.tif 000019
【００９２】
［収差性能］
図９〜図１６に、各数値実施例の収差性能を示す。これらの各図には収差図として、球面収差、非点収差、およびディストーション（歪曲収差）を示す。各収差図には、ｄ線を基準波長とした収差を示す。球面収差図には、ｇ線（波長４３５．８ｎｍ）およびＣ線（波長６５６．３ｎｍ）の収差も示す。非点収差図において、ΔＳはサジタル方向、ΔＭはメリディオナル（タンジェンシャル）方向の収差を示す。【００９３】
以上の各収差図から分かるように、各実施例について、良好に収差補正された撮像レンズを実現できている。【００９４】
＜５．その他の実施の形態＞
本開示による技術は、上記実施の形態および実施例の説明に限定されず種々の変形実施が可能である。
例えば、上記各数値実施例において示した各部の形状および数値は、いずれも本技術を実施するための具体化のほんの一例に過ぎず、これらによって本技術の技術的範囲が限定的に解釈されることがあってはならないものである。【００９５】
また、上記実施の形態および実施例では、実質的に６つのレンズからなる構成について説明したが、実質的に屈折力を有さないレンズをさらに備えた構成であっても良い。【００９６】
また例えば、本技術は以下のような構成を取ることができる。
［１］
物体側から順に、
正の屈折力を有する第１レンズと、
正の屈折力を有する第２レンズと、
負の屈折力を有する第３レンズと、
正の屈折力を有する第４レンズと、
負の屈折力を有する第５レンズと、
光軸近傍において正または負の屈折力を有し、像側の面において周辺部に１つ以上の変曲点を持つ第６レンズと
から構成される撮像レンズ。
［２］
以下の条件式を満足する
上記［１］に記載の撮像レンズ。
νｄ３＜３０  ……（１）
νｄ５＞２０  ……（２）
ただし、
νｄ３：前記第３レンズのｄ線におけるアッベ数
νｄ５：前記第５レンズのｄ線におけるアッベ数
とする。
［３］
以下の条件式を満足する
上記［１］または［２］に記載の撮像レンズ。
νｄ１＞５０  ……（３）
νｄ２＞５０  ……（４）
νｄ４＞５０  ……（５）
νｄ６＞５０  ……（６）
ただし、
νｄ１：前記第１レンズのｄ線におけるアッベ数
νｄ２：前記第２レンズのｄ線におけるアッベ数
νｄ４：前記第４レンズのｄ線におけるアッベ数
νｄ６：前記第６レンズのｄ線におけるアッベ数
とする。
［４］
以下の条件式を満足する
上記［１］ないし［３］のいずれか１つに記載の撮像レンズ。
０＜ｆ／ｆ２＜１．１  ……（７）
ただし、
ｆ：全系の焦点距離
ｆ２：前記第２レンズの焦点距離
とする。
［５］
以下の条件式を満足する
上記［１］ないし［４］のいずれか１つに記載の撮像レンズ。
−１．３５＜ｆ／ｆ３＜−０．６６  ……（８）
ただし、
ｆ３：前記第３レンズの焦点距離
とする。
［６］
以下の条件式を満足する
上記［１］ないし［５］のいずれか１つに記載の撮像レンズ。
−０．７＜ｆ／ｆ５＜０  ……（９）
ただし、
ｆ５：前記第５レンズの焦点距離
とする。
［７］
以下の条件式を満足する
上記［１］ないし［６］のいずれか１つに記載の撮像レンズ。
−１．２＜ｆ／ｆ６＜０．２  ……（１０）
ただし、
ｆ６：前記第６レンズの焦点距離
とする。
［８］
以下の条件式を満足する
上記［１］ないし［７］のいずれか１つに記載の撮像レンズ。
−１２＜ｆ２／ｆ３＜−０．１  ……（１１）
［９］
以下の条件式を満足する
上記［１］ないし［８］のいずれか１つに記載の撮像レンズ。
０＜ｆ２／ｆ１＜１８  ……（１２）
ただし、
ｆ１：前記第１レンズの焦点距離
とする。
［１０］
以下の条件式を満足する
上記［１］ないし［９］のいずれか１つに記載の撮像レンズ。
−１＜ｆ５／ｆ６＜１９  ……（１３）
［１１］
前記第２レンズの像側の面よりも物体側に開口絞りが配設されている
上記［１］ないし［１０］のいずれか１つに記載の撮像レンズ。
［１２］
前記第１ないし第６レンズのすべてが樹脂製のレンズである
上記［１］ないし［１１］のいずれか１つに記載の撮像レンズ。
［１３］
実質的に屈折力を有さないレンズをさらに備えた
上記［１］ないし［１２］のいずれか１つに記載の撮像レンズ。
［１４］
撮像レンズと、前記撮像レンズによって形成された光学像に応じた撮像信号を出力する撮像素子とを含み、
前記撮像レンズは、
物体側から順に、
正の屈折力を有する第１レンズと、
正の屈折力を有する第２レンズと、
負の屈折力を有する第３レンズと、
正の屈折力を有する第４レンズと、
負の屈折力を有する第５レンズと、
光軸近傍において正または負の屈折力を有し、像側の面において周辺部に１つ以上の変曲点を持つ第６レンズと
から構成される撮像装置。
［１５］
前記撮像レンズは、実質的に屈折力を有さないレンズをさらに備える
上記［１４］に記載の撮像装置。【００９７】
本出願は、日本国特許庁において２０１３年４月１日に出願された日本特許出願番号第２０１３−７５６５３号を基礎として優先権を主張するものであり、この出願のすべての内容を参照によって本出願に援用する。【００９８】
当業者であれば、設計上の要件や他の要因に応じて、種々の修正、コンビネーション、サブコンビネーション、および変更を想到し得るが、それらは添付の請求の範囲やその均等物の範囲に含まれるものであることが理解される。
【図１】
2014162779.tif 000020
【図２】
2014162779.tif 000021
【図３】
2014162779.tif 000022
【図４】
2014162779.tif 000023
【図５】
2014162779.tif 000024
【図６】
2014162779.tif 000025
【図７】
2014162779.tif 000026
【図８】
2014162779.tif 000027
【図９】
2014162779.tif 000028
【図１０】
2014162779.tif 000029
【図１１】
2014162779.tif 000030
【図１２】
2014162779.tif 000031
【図１３】
2014162779.tif 000032
【図１４】
2014162779.tif 000033
【図１５】
2014162779.tif 000034
【図１６】
2014162779.tif 000035
【図１７】
2014162779.tif 000036
【図１８】
2014162779.tif 000037
【手続補正書】
【提出日】平成26年6月13日(2014.6.13)
【手続補正１】
【補正対象書類名】特許請求の範囲
【補正対象項目名】全文
【補正方法】変更
【補正の内容】
【特許請求の範囲】
【請求項１】
物体側から順に、
正の屈折力を有する第１レンズと、
正の屈折力を有する第２レンズと、
負の屈折力を有する第３レンズと、
正の屈折力を有する第４レンズと、
負の屈折力を有し、物体側の面が凸形状の第５レンズと、
光軸近傍において正または負の屈折力を有し、像側の面において周辺部に１つ以上の変曲点を持つ第６レンズと
から構成され、以下の条件式を満足する
撮像レンズ。
νｄ３＜３０  ……（１）
ただし、
νｄ３：前記第３レンズのｄ線におけるアッベ数
とする。
【請求項２】
以下の条件式を満足する
請求項１に記載の撮像レンズ。
νｄ５＞２０  ……（２）
ただし、
νｄ５：前記第５レンズのｄ線におけるアッベ数
とする。
【請求項３】
以下の条件式を満足する
請求項１に記載の撮像レンズ。
νｄ１＞５０  ……（３）
νｄ２＞５０  ……（４）
νｄ４＞５０  ……（５）
νｄ６＞５０  ……（６）
ただし、
νｄ１：前記第１レンズのｄ線におけるアッベ数
νｄ２：前記第２レンズのｄ線におけるアッベ数
νｄ４：前記第４レンズのｄ線におけるアッベ数
νｄ６：前記第６レンズのｄ線におけるアッベ数
とする。
【請求項４】
以下の条件式を満足する
請求項１に記載の撮像レンズ。
０＜ｆ／ｆ２＜１．１  ……（７）
ただし、
ｆ：全系の焦点距離
ｆ２：前記第２レンズの焦点距離
とする。
【請求項５】
以下の条件式を満足する
請求項１に記載の撮像レンズ。
−１．３５＜ｆ／ｆ３＜−０．６６  ……（８）
ただし、
ｆ３：前記第３レンズの焦点距離
とする。
【請求項６】
以下の条件式を満足する
請求項１に記載の撮像レンズ。
−０．７＜ｆ／ｆ５＜０  ……（９）
ただし、
ｆ５：前記第５レンズの焦点距離
とする。
【請求項７】
以下の条件式を満足する
請求項１に記載の撮像レンズ。
−１．２＜ｆ／ｆ６＜０．２  ……（１０）
ただし、
ｆ６：前記第６レンズの焦点距離
とする。
【請求項８】
以下の条件式を満足する
請求項１に記載の撮像レンズ。
−１２＜ｆ２／ｆ３＜−０．１  ……（１１）
【請求項９】
以下の条件式を満足する
請求項１に記載の撮像レンズ。
０＜ｆ２／ｆ１＜１８  ……（１２）
ただし、
ｆ１：前記第１レンズの焦点距離
とする。
【請求項１０】
以下の条件式を満足する
請求項１に記載の撮像レンズ。
−１＜ｆ５／ｆ６＜１９  ……（１３）
【請求項１１】
前記第２レンズの像側の面よりも物体側に開口絞りが配設されている
請求項１に記載の撮像レンズ。
【請求項１２】
前記第１ないし第６レンズのすべてが樹脂製のレンズである
請求項１に記載の撮像レンズ。
【請求項１３】
撮像レンズと、前記撮像レンズによって形成された光学像に応じた撮像信号を出力する撮像素子とを含み、
前記撮像レンズは、
物体側から順に、
正の屈折力を有する第１レンズと、
正の屈折力を有する第２レンズと、
負の屈折力を有する第３レンズと、
正の屈折力を有する第４レンズと、
負の屈折力を有し、物体側の面が凸形状の第５レンズと、
光軸近傍において正または負の屈折力を有し、像側の面において周辺部に１つ以上の変曲点を持つ第６レンズと
から構成され、以下の条件式を満足する
νｄ３＜３０  ……（１）
ただし、
νｄ３：前記第３レンズのｄ線におけるアッベ数
とする。
【国際調査報告】
2014162779.tif 000038
2014162779.tif 000039
2014162779.tif 000040
2014162779.tif 000041